(57)【要約】【課題】充電装置が店舗設備等の高圧受電設備と併設される場合であっても、総受電電力量を決められた電力量に抑えつつバッテリ搭載装置に搭載されたバッテリを充電効率の向上を図りながら充電する。【解決手段】充電装置１００の充電制御ユニット１５２は、バッテリ搭載装置１１４から要求される要求電力量を含む系統電源９９からの総受電電力量の予測値が予め設定された上限値よりも大きいとき、系統電源９９からの総受電電力量が前記上限値を超過しない範囲でバッテリ搭載装置１１４を充電可能な、電力変換部１０６からの出力指令値を算出する充電指令演算部を有する。電力変換部１０６は複数の電力変換ユニットを有しており、充電指令演算部は、複数の電力変換ユニットＡ〜Ｄのうちの充電に利用される電力変換ユニットの全体の変換効率を高める処理を実行して前記出力指令値を算出する。【選択図】図１
2014023204.tif 000002
【特許請求の範囲】
【請求項１】
バッテリを搭載したバッテリ搭載装置に接続して、当該バッテリに電力を供給して充電する充電装置であって、
系統からの電力を前記充電装置の外部に設けられた高圧受電設備への供給用と前記バッテリ搭載装置への供給用とに分配する電力分配部と、
前記電力分配部からの前記バッテリ搭載装置への供給用の電力を充電用の直流の電力に変換して出力する複数の電力変換ユニットを有する電力変換部と、
充電時において前記バッテリ搭載装置に接続される利用者操作ユニットと、
前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットと、を備え、
前記充電制御ユニットは、前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出する充電指令演算部、を有し、
前記充電指令演算部は、前記複数の電力変換ユニットのうちの充電に利用される電力変換ユニットの全体の変換効率を高める処理を実行して前記出力指令値を算出することを特徴とする充電装置。
【請求項２】
前記充電制御ユニットが、前記系統からの受電を制限する要請であるデマンド制限要請を受信した場合、前記充電指令演算部は、前記バッテリ搭載装置から要求される要求電力量を含む前記系統からの総受電電力量の予測値が前記デマンド制限要請に基づいて前記上限値よりも低く設定されるデマンド制限値よりも大きいとき、前記系統からの総受電電力量が前記デマンド制限値を超過しない範囲で前記バッテリ搭載装置を充電可能な、前記電力変換部からの前記出力指令値を算出することを特徴とする請求項１に記載の充電装置。
【請求項３】
前記利用者操作ユニットは、複数の充電端末を備えており、
前記充電制御ユニットは、前記バッテリ搭載装置に接続されている前記充電端末に対して、前記電力変換部から出力される電力を振り分けて供給する制御を行うことを特徴とする請求項１又は請求項２に記載の充電装置。
【請求項４】
前記充電制御ユニットは、前記バッテリ搭載装置に搭載された前記バッテリの充電に関する特性情報である充電特性情報を前記利用者操作ユニットを介して受信し、前記充電指令演算部は、前記充電特性情報を用いて充電計画を作成することを特徴とする請求項１乃至請求項３のいずれか一項に記載の充電装置。
【請求項５】
前記充電特性情報は、前記バッテリの充電開始時の蓄電量ごとに設定された電流値及び電圧値の時系列データを有することを特徴とする請求項４に記載の充電装置。
【請求項６】
前記充電特性情報は、前記バッテリの充電開始時の蓄電量、電流値及び電圧値と、電圧の最大値と、定電流充電から定電圧充電に切り替わるときの蓄電量と、前記バッテリの必要充電容量と、充電時間とを有することを特徴とする請求項４に記載の充電装置。
【請求項７】
前記充電制御ユニットは、充電に必要な電力に関する情報である必要電力量情報を前記バッテリ搭載装置から前記利用者操作ユニットを介して受信し、前記充電指令演算部は、前記必要電力量情報を基に、前記バッテリ搭載装置に接続されている前記利用者操作ユニットに対して、前記複数の電力変換ユニットの中から選択された少なくとも一つの電力変換ユニットを割り振ることを特徴とする請求項１乃至請求項６のいずれか一項に記載の充電装置。
【請求項８】
前記系統からの電力を蓄える蓄電池を備え、
前記充電指令演算部は、前記蓄電池に蓄えられている電力を前記バッテリ搭載装置への供給用の電力として用いて、前記電力変換部からの出力指令値を算出することを特徴とする請求項１乃至請求項７のいずれか一項に記載の充電装置。
【請求項９】
前記蓄電池は、前記複数の電力変換ユニットの各々に設置されていることを特徴とする請求項８に記載の充電装置。
【請求項１０】
請求項１乃至請求項９のいずれか一項に記載の充電装置と、
前記バッテリ搭載装置に搭載された前記バッテリに関する情報であるバッテリ情報を前記充電装置からネットワークを介して収集して管理する充電管理センタと、を備えることを特徴とする充電システム。
【請求項１１】
系統からの電力を外部に設けられた高圧受電設備への供給用とバッテリを搭載したバッテリ搭載装置への供給用とに分配する電力分配部と、前記電力分配部からの前記バッテリ搭載装置への供給用の電力を充電用の直流の電力に変換して出力する複数の電力変換ユニットを有する電力変換部と、充電時において前記バッテリ搭載装置に接続される利用者操作ユニットと、前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットとを備え、前記バッテリに電力を供給して充電する充電装置における、前記充電制御ユニットであって、
前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出する充電指令演算部、を有し、
前記充電指令演算部は、前記複数の電力変換ユニットのうちの充電に利用される電力変換ユニットの全体の変換効率を高める処理を実行して前記出力指令値を算出することを特徴とする充電制御ユニット。
【請求項１２】
系統からの電力を外部に設けられた高圧受電設備への供給用とバッテリを搭載したバッテリ搭載装置への供給用とに分配する電力分配部と、前記電力分配部からの前記バッテリ搭載装置への供給用の電力を充電用の直流の電力に変換して出力する複数の電力変換ユニットを有する電力変換部と、充電時において前記バッテリ搭載装置に接続される利用者操作ユニットと、前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットとを備え、前記バッテリに電力を供給して充電する充電装置における、前記充電制御ユニットが実行する充電制御方法であって、
前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出し、
前記電力変換部からの出力指令値の算出の際に、前記複数の電力変換ユニットのうちの充電に利用される電力変換ユニットの全体の変換効率を高める処理を実行して前記出力指令値が算出されることを特徴とする充電制御方法。
【発明の詳細な説明】
【技術分野】
【０００１】
本発明は、例えば電気自動車等のバッテリ搭載装置に搭載されたバッテリを充電するための充電装置、これを備えた充電システム、並びに充電制御ユニット及び充電制御方法に関する。
【背景技術】
【０００２】
近年、環境問題に対する問題意識の高まりから排気ガスの少ない車両として電気自動車やハイブリッド車両が広く普及しつつある。この種の車両は、モータを駆動源として走行するので、モータに電力を供給するバッテリを搭載している。よって、車両を走行させてバッテリの充電量が低下した際には、例えば街の一角に設置された充電スタンド等にてバッテリをその都度充電する必要がある。そして、バッテリの充電には、必要な時に必要なだけ充電ができ、かつ、電力会社と取り決めた契約電力を超えないような工夫が求められている。
【０００３】
例えば、特許文献１には、各車両と外部電源とが結合されたときの蓄電装置の蓄電状態を検出し、複数台の車両の各々について、予想消費電力量を検出し、各車両について、検出された蓄電状態と予想消費電力量とに基づいて必要な充電電力量を算出し、各車両の使用開始時刻を検出し、必要充電量と使用開始時刻から各車両の充電時間と充電電力量についての充電計画を決定し、充電計画に基づいて車両に搭載された蓄電装置を充電する制御を行なう方法が提案されており、これにより、契約電力量を拡大させなくても充電が完了する可能性が高まると記載されている。
【０００４】
また、特許文献２には、充電初期は充電装置内に設けた二次電池や電気二重層キャパシタなどの蓄電手段から出力電圧を調整するＤＣ／ＤＣコンバータを介して充電電流を供給し、一定量または一定時間供給後、商用電源に切り換えて充電を行う方法が提案されており、これにより、商用電源から供給される過大な充電電流を抑え、充電電流を低減することで、電力会社との契約費用の削減が図れると記載されている。
【先行技術文献】
【特許文献】
【０００５】
【特許文献１】特開２００９−１３６１０９号公報
【特許文献２】特開２０１１−００４４８２号公報
【発明の概要】
【発明が解決しようとする課題】
【０００６】
ところで、電気自動車等のバッテリ搭載装置に搭載されたバッテリを充電するための充電装置は、単独で設置されるよりも、例えばコンビニエンスストアや飲食店等の店舗などと併設される方が、利用者にとっても利便性が高まり相乗効果が期待できる。
【０００７】
しかしながら、前記した特許文献１，２に記載の技術は、充電装置を店舗設備等の高圧受電設備と接続して使用するケースを想定しておらず、このようなケースにおいてバッテリ搭載装置に搭載されたバッテリを充電効率の向上を図りながら充電する技術を提供するものではない。
【０００８】
本発明は、前記事情に鑑みてなされたものであり、本発明の目的は、充電装置が店舗設備等の高圧受電設備と併設される場合であっても、総受電電力量を決められた電力量に抑えつつバッテリ搭載装置に搭載されたバッテリを充電効率の向上を図りながら充電することが可能な充電装置、充電システム、充電制御ユニット及び充電制御方法を提供することにある。
【課題を解決するための手段】
【０００９】
前記問題点を解決するために、本発明の一側面を反映する充電装置は、バッテリを搭載したバッテリ搭載装置に接続して、当該バッテリに電力を供給して充電する充電装置であって、系統からの電力を前記充電装置の外部に設けられた高圧受電設備への供給用と前記バッテリ搭載装置への供給用とに分配する電力分配部と、前記電力分配部からの前記バッテリ搭載装置への供給用の電力を充電用の直流の電力に変換して出力する複数の電力変換ユニットを有する電力変換部と、充電時において前記バッテリ搭載装置に接続される利用者操作ユニットと、前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットと、を備え、前記充電制御ユニットは、前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出する充電指令演算部、を有し、前記充電指令演算部は、前記複数の電力変換ユニットのうちの充電に利用される電力変換ユニットの全体の変換効率を高める処理を実行して前記出力指令値を算出することを特徴とする。
【００１０】
また、本発明の他の側面を反映する充電システムは、前記充電装置と、前記バッテリ搭載装置に搭載された前記バッテリに関する情報であるバッテリ情報を前記充電装置からネットワークを介して収集して管理する充電管理センタと、を備えることを特徴とする。
【００１１】
また、本発明のさらに他の側面を反映する充電制御ユニットは、系統からの電力を外部に設けられた高圧受電設備への供給用とバッテリを搭載したバッテリ搭載装置への供給用とに分配する電力分配部と、前記電力分配部からの前記バッテリ搭載装置への供給用の電力を充電用の直流の電力に変換して出力する複数の電力変換ユニットを有する電力変換部と、充電時において前記バッテリ搭載装置に接続される利用者操作ユニットと、前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットとを備え、前記バッテリに電力を供給して充電する充電装置における、前記充電制御ユニットであって、前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出する充電指令演算部、を有し、前記充電指令演算部は、前記複数の電力変換ユニットのうちの充電に利用される電力変換ユニットの全体の変換効率を高める処理を実行して前記出力指令値を算出することを特徴とする。
【００１２】
また、本発明のさらに他の側面を反映する充電制御方法は、系統からの電力を外部に設けられた高圧受電設備への供給用とバッテリを搭載したバッテリ搭載装置への供給用とに分配する電力分配部と、前記電力分配部からの前記バッテリ搭載装置への供給用の電力を充電用の直流の電力に変換して出力する複数の電力変換ユニットを有する電力変換部と、充電時において前記バッテリ搭載装置に接続される利用者操作ユニットと、前記バッテリ搭載装置に接続されている前記利用者操作ユニットに対して、前記複数の電力変換ユニットの中から選択された少なくとも一つの電力変換ユニットから出力される電力を供給する制御を行う充電制御ユニットとを備え、前記バッテリに電力を供給して充電する充電装置における、前記充電制御ユニットが実行する充電制御方法であって、前記バッテリ搭載装置から要求される要求電力量を含む前記系統からの総受電電力量の予測値が予め設定された上限値よりも大きいとき、前記系統からの総受電電力量が前記上限値を超過しない範囲で前記バッテリ搭載装置を充電可能な、前記電力変換部からの出力指令値を算出し、前記電力変換部からの出力指令値の算出の際に、前記複数の電力変換ユニットのうちの充電に利用される電力変換ユニットの全体の変換効率を高める処理を実行して前記出力指令値が算出されることを特徴とする。
【発明の効果】
【００１３】
本発明によれば、充電装置が店舗設備等の高圧受電設備と併設される場合であっても、総受電電力量を決められた電力量に抑えつつバッテリ搭載装置に搭載されたバッテリを充電効率の向上を図りながら充電することが可能となる。
【図面の簡単な説明】
【００１４】
【図１】本発明の第１実施形態に係る充電装置の概略構成を示すブロック図である。
【図２】図１に示される切換回路の構成の一例を示す図である。
【図３】図１に示される電力変換ユニットの構成の一例を示す図である。
【図４】図１に示される充電端末の構成の一例を示す図である。
【図５】図１に示される充電制御装置の構成の一例を示す図である。
【図６】（ａ）は、電力変換ユニットＤＢに格納される電力変換ユニットデータの一例を示す図であり、（ｂ）は、充電管理ＤＢに格納される充電管理データの一例を示す図である。
【図７】総受電電力量調整ＤＢに格納される総受電電力量調整データの一例を示す図である。
【図８】電力変換ユニットの効率曲線の一例を示す図である。
【図９】充電パターンを示すグラフである。
【図１０】図９に示されるグラフを作成するためのパラメータである充電特性情報の一例を示す図である。
【図１１】充電特性取得部の構成の一例を示す図である。
【図１２】第１実施形態に係る充電制御装置における処理の手順を示すフローチャートである。
【図１３】図１２から続く充電制御装置における処理の手順を示すフローチャートである。
【図１４】図１３から続く充電制御装置における処理の手順を示すフローチャートである。
【図１５】図１２に示される確認処理の手順を示すフローチャートである。
【図１６】図１３に示される充電電流設定処理の手順を示すフローチャートである。
【図１７】充電電流の設定について説明するための図である。
【図１８】本発明の第２実施形態に係る充電特性ＤＢに格納される充電特性データの一例を示す図である。
【図１９】本発明の第３実施形態に係る充電装置の概略構成を示すブロック図である。
【図２０】図１９に示される充電制御装置の構成の一例を示す図である。
【図２１】本発明の第３実施形態に係る充電電流設定処理の手順を示すフローチャートである。
【図２２】本発明の第５実施形態に係る電力変換ユニットの構成の一例を示す図である。
【図２３】本発明の第５実施形態に係る電力変換ユニットの確認処理の手順を示すフローチャートである。
【図２４】本発明の第７実施形態に係る充電装置を備える充電システムの概略構成を示す図である。
【図２５】図２４に示される充電管理センタの構成の一例を示す図である。
【図２６】バッテリ搭載装置、充電端末、充電制御装置、充電管理センタ間の処理の流れを示すシーケンス図の一例である。
【発明を実施するための形態】
【００１５】
≪第１実施形態≫
まず、図１〜図１７を参照しながら本発明の第１実施形態について説明する。図１は、本発明の第１実施形態に係る充電装置の概略構成を示すブロック図である。図２は、図１に示される切換回路の構成の一例を示す図である。図３は、図１に示される電力変換ユニットの構成の一例を示す図である。図４は、図１に示される充電端末の構成の一例を示す図である。図５は、図１に示される充電制御装置の構成の一例を示す図である。
【００１６】
図１に示すように、充電装置１００は、店舗設備等の高圧受電設備（例えば６ｋＶ負荷設備）１０１と併設されている。充電装置１００は、バッテリ(電池；図示せず）を搭載したバッテリ搭載装置１１４に接続して、当該バッテリに電力を供給して充電する充電装置である。なお、便宜上以下では、バッテリ搭載装置１１４として電気自動車（ＥＶ）を想定している。
【００１７】
図１に示すように、充電装置１００は、例えば商用電源等の系統電源９９から取得した交流電力（ＡＣ電力）を充電用の直流電力（ＤＣ電力）に変換して出力する充電コンバータ装置１５０と、充電時においてユーザによりバッテリ搭載装置１１４に接続される利用者操作ユニット１５１とを備えている。なお、系統電源９９が系統に相当する。
【００１８】
充電コンバータ装置１５０は、電力量監視装置１０２、電力バランス計測装置（電力分配部）１０３、バッテリ電力量監視装置１０４、三相単相変換装置１０５、電力変換部１０６、及び充電制御ユニット１５２を備えている。
【００１９】
充電装置１００において、系統電源９９からの電力は、電力量監視装置１０２により受電される。電力量監視装置１０２は、周期的に受電量を該電力量監視装置１０２に内蔵されているデータベース（図示せず）に格納、あるいは表示装置（図示せず）を通して表示することが可能である。電力量監視装置１０２はまた、該電力量監視装置１０２以下の電力デマンドを監視する機能を有する。
【００２０】
電力量監視装置１０２にて受電された電力は、電力バランス計測装置（電力分配部）１０３にて、充電装置１００の外部に設けられた高圧受電設備１０１への供給用と、バッテリ搭載装置１１４への供給用とに分配される。バッテリ搭載装置１１４への供給用の電力は、電力バランス計測装置１０３からバッテリ電力量監視装置１０４に送られる。電力量監視装置１０２及び電力バランス計測装置１０３における電力量のデータは、後記する充電制御装置１０７に周期的に送信される。
【００２１】
三相単相変換装置１０５は、バッテリ電力量監視装置１０４から送られる三相交流電力を単相交流電力に変換するものである。三相単相変換装置１０５にて変換された電力は、電力変換部１０６に入力される。
【００２２】
電力変換部１０６は、電力バランス計測装置１０３から三相単相変換装置１０５を経て送られるバッテリ搭載装置１１４への供給用の電力を、充電用の直流の電力に変換して出力するものである。電力変換部１０６は、複数の電力変換ユニットＡ，Ｂ，Ｃ，Ｄを備えている。但し、電力変換部１０６における電力変換ユニットの数は適宜変更可能である。
【００２３】
充電制御ユニット１５２は、電力変換部１０６から利用者操作ユニット１５１への電力供給を制御する機能を有しており、充電制御装置１０７、切換回路１０９、充電通信制御部１１１、及び上位通信制御部１１２を備えている。充電制御ユニット１５２は、バッテリ搭載装置１１４に接続されている利用者操作ユニット１５１に対して、複数の電力変換ユニットＡ〜Ｄの中から選択された少なくとも一つの電力変換ユニットから出力される電力を供給する制御を行う。複数の電力変換ユニットＡ〜Ｄの各々への入力電力量は、充電制御装置１０７にて決定される。
【００２４】
利用者操作ユニット１５１は、充電コンバータ装置１５０に接続される複数の充電端末１１０ａ，１１０ｂ，１１０ｃ（以下、総称して「充電端末１１０」ともいう）、及び充電端末１１０とバッテリ搭載装置１１４とを接続するケーブル１５６を備えている。充電制御ユニット１５２は、バッテリ搭載装置１１４に接続されている充電端末１１０に対して、電力変換部１０６から出力される電力を振り分けて供給する制御を行う。したがって、１台の充電装置１００で複数のバッテリ搭載装置１１４を同時に充電することが可能となっている。但し、利用者操作ユニット１５１が備える充電端末の数は適宜変更可能であり、例えば一つであってもよい。
【００２５】
充電制御装置１０７には、例えばパーソナルコンピュータ等の契約電力設定装置１０８に表示される設定画面を通して、電力会社と取り決められた契約電力の値が入力され得る。また、充電制御装置１０７には、上位通信制御部１１２を介して、充電装置１００の上位に位置する給電システム等の上位システム１１３から送信されるデマンド制限要請が入力され得る。ここで、デマンド制限要請とは、例えば電力消費のピークを有する時間帯に発せられる、系統電源９９からの受電を制限する要請である。更に、充電制御装置１０７には、充電通信制御部１１１と充電端末１１０とを介して、バッテリ搭載装置１１４に搭載されたバッテリに関する情報であるバッテリ情報が入力され得る。バッテリ情報には、バッテリ搭載装置１１４の充電に必要な電力に関する情報である必要電力量情報や、バッテリ搭載装置１１４から要求される電流量に関する情報である電流量情報等の、バッテリの充電に関する充電特性情報が含まれる。充電通信制御部１１１は、充電端末１１０との通信の開始、中断、終了を制御する機能を有する。
【００２６】
バッテリ搭載装置１１４は、充放電が可能であるバッテリと、そのバッテリを駆動するコントローラと、各種のデータやプログラムを記憶するメモリとを備えている（いずれも図示せず）。メモリは、バッテリの充電に関する特性情報である充電特性情報を記憶する領域として割り当てられた充電特性情報記憶部１１５を有している。
【００２７】
切換回路１０９は、複数の充電端末１１０ａ，１１０ｂ，１１０ｃを介してバッテリ搭載装置１１４が要求する、必要電力量情報として示される要求出力に応じて、電力変換ユニットＡ〜Ｄの利用の組合せと、電力変換ユニットＡ〜Ｄの各々からの出力とを決定する装置である。
【００２８】
図２に示すように、切換回路１０９は、電力変換部１０６の各電力変換ユニットＡ〜Ｄから延びる母線１５３と、各充電端末１１０ａ，１１０ｂ，１１０ｃから延びる母線１５４との交わる箇所にスイッチ１５５をそれぞれ設けた回路を備えている。そして、どの電力変換ユニットＡ〜Ｄをどの充電端末１１０ａ，１１０ｂ，１１０ｃに繋げるのかをスイッチ１５５，１５５…によって設定することで、電力変換ユニットＡ〜Ｄを所望の利用者操作ユニット１５１の充電端末１１０に振り分ける。
【００２９】
図３に示すように、電力変換部１０６の各電力変換ユニットＡ〜Ｄは、系統電源９９からの三相交流電力が三相単相変換装置１０５により単相交流電力に変換された後の電力をコンバータ１２１によって直流変換し、変換後の直流電圧をインバータ１２２によって交流電圧に昇圧する。そして、昇圧後の交流電圧をトランス１２３によって充電に適した直流電圧に変換する。図３中の符号１２４は電流の逆流を防止するダイオードである。各電力変換ユニットＡ〜Ｄは、例えば出力電力が１０ｋＷ、定格電流が２５Ａ、定格電圧が４００〜５００Ｖの小型電源となっている。
【００３０】
このような電力変換制御を行うために、各電力変換ユニットＡ〜Ｄは、演算処理装置１２５を備えている。演算処理装置１２５は、交流電力を直流電力に変換するタイミングを決定する制御を行うアナログ制御部１２６と、変換する電力量を決定する制御を行う電力量管理部１２７とを有しており、必要な制御指令を発する。
【００３１】
図４に示すように、利用者操作ユニット１５１の充電端末１１０は、パラメータ取得Ｉ／Ｆ１６１、表示装置１６２、パラメータ送受信Ｉ／Ｆ１６３、メモリ１６４、電力制御装置１６５、及びＣＰＵ１６６を備えており、これらは信号バス１６７により接続されている。
【００３２】
パラメータ取得Ｉ／Ｆ１６１は、バッテリ搭載装置１１４を充電する際に充電端末１１０を介して取得可能なバッテリに関する情報であるバッテリ情報を取得するための装置である。バッテリ搭載装置１１４としてのＥＶを充電する際には、通信線を有する充電コネクタとインレット（いずれも図示せず）が、パラメータ取得Ｉ／Ｆ１６１に該当する。パラメータ取得Ｉ／Ｆ１６１を介して伝送されるデータの規格としては、例えば日本国内ではチャデモ（ＣＨＡｄｅＭＯ）と呼ばれる電気自動車の急速充電装置の通信規格、あるいは海外ではＩＥＣ６１８５１−２４規格が代表的なものとして挙げられる。
【００３３】
表示装置１６２は、バッテリ搭載装置１１４に搭載されたバッテリの充電状態を監視する画面である充電状態監視画面（図示せず）を表示する。充電状態監視画面上には、充電開始からの経過時間と充電終了時刻、電池の蓄電量（ＳＯＣ：Ｓｔａｔｅ  Ｏｆ  Ｃｈａｒｇｅ）、充電中の電圧値、充電中の電力値、充電終了までに必要とする時間、充電状態（例えば充電中、充電終了、充電準備）の任意の組み合わせが表示される。パラメータ送受信Ｉ／Ｆ１６３は、バッテリ搭載装置１１４からの充電特性情報等のバッテリ情報、例えば要求される電流量に関する情報である電流量情報を受信し、該情報を充電通信制御部１１１を介して充電制御装置１０７に伝送する。
【００３４】
電力制御装置１６５は、切換回路１０９から出力される電力の受電の開始及び停止を、充電制御装置１０７から充電通信制御部１１１を介して受信する制御信号を基に制御し、バッテリ搭載装置１１４への電力の送電を行う。これらの動作をコンピュータで行うためのメモリ１６４及びＣＰＵ１６６が充電端末１１０に備えられている。
【００３５】
図５に示すように、充電制御装置１０７は、ＣＰＵ１３１、メモリ１３２、充電指令演算部１３３、電力量監視制御部１３４、充電処理部１３５、ユニット切離部１３６、充電特性取得部１３７、充電動作制御部１３８、電力変換ユニットＤＢ１４０、充電管理ＤＢ１４１、総受電電力量調整ＤＢ１４２、充電特性ＤＢ１４３、及び電力変換ユニットの効率曲線ＤＢ１４６を備えており、これらは、信号バス１４５により接続されている。
【００３６】
各データベース（ＤＢ）１４０〜１４３，１４６は、充電制御装置１０７に備えられた記憶装置内にそれぞれ割り当てられる。図６（ａ）は、電力変換ユニットＤＢに格納される電力変換ユニットデータの一例を示す図であり、図６（ｂ）は、充電管理ＤＢに格納される充電管理データの一例を示す図である。図７は、総受電電力量調整ＤＢに格納される総受電電力量調整データの一例を示す図である。図８は、電力変換ユニット効率曲線ＤＢ１４６に格納される電力変換ユニットの効率曲線の一例を示す図である。
【００３７】
図６（ａ）に示すように、電力変換ユニットデータ２５１において、縦軸には電力変換ユニットの識別符号、横軸には時刻が配されており、各電力変換ユニットＡ〜Ｄの稼働時間帯が「０」(停止)、または「１」（稼働）で示される。電力変換ユニットデータ２５１は、電力変換ユニットＡ〜Ｄの利用計画状態を「０」または「１」の値で格納する。各電力変換ユニットＡ〜Ｄの故障の発生に伴い、該当する電力変換ユニットの故障中の時間帯の値は「０」となる。また、メンテナンスによる停止の場合も、該当する電力変換ユニットのメンテナンス中の時間帯の値は「０」となる。なお、図６（ａ）は、初期化された状態を示している。
【００３８】
図６（ｂ）に示すように、充電管理データ２５２において、縦軸には充電端末の識別符号が配され、横軸には、例えばバッテリ（電池）総容量（ｋＷＨ）、充電予約を申し込んだ時点における蓄電量（電池残量）（ｋＷＨ）、蓄電量（電池残量）（％）、充電パターン、各充電端末への電力変換ユニットの割付けが終了した後（電力変換ユニット割付後）における利用する電力変換ユニットの識別符号等の項目が配される。第１実施形態では、バッテリ搭載装置１１４に搭載されたバッテリを充電する際における、定電流充電の際の電圧値と、定電圧充電の際の電流値との組合せを持つ複数の充電パターンが、後記するように予め決められて充電特性ＤＢ１４３に保存されており、その決められた充電パターンがメモリ１３２中に読み出されて格納される。そして、充電時に使用する充電パターンが決定したら、該充電パターンがメモリ１３２から読み出されて、充電制御に利用される。
【００３９】
図７に示すように、総受電電力量調整データ２５３は、予め設定された上限値としての契約電力に基づく最大電力量（ｋＷＨ）、デマンド制限値（ｋＷＨ）、制御前のＴ分後における総受電電力量の予測値（ｋＷＨ）、制御前の積算終了時における総受電電力量の予測値（ｋＷＨ）、制御前の電力変換ユニットの予想電力量（ｋＷＨ）、制御後のＴ分後における総受電電力量の予測値（ｋＷＨ）、及び制御後の電力変換ユニットの予想電力量（ｋＷＨ）を、時系列で示している。
【００４０】
図７の例では、契約電力は１００ｋＷである。電気の基本料金は、契約電力で決まるが、この契約電力を超えて電気を使用すると、契約超過金の支払いが必要になったり、契約料金のアップにつながったりする。日本国内の場合、３０分間（毎時ごとの０分〜３０分、３０分〜６０分の３０分間）の平均使用電力（ｋＷ）が契約電力を超過してしまうと、契約超過金の支払いや契約料金のアップにつながる。このため、積算対象となる３０分間の平均使用電力（ｋＷ）を契約電力以下に抑えることが望ましい。ここで、毎時ごとの３０分、６０分が、使用電力量（ｋＷＨ）の積算終了時となる。したがって、図７の例では、契約電力に基づく最大電力量（ｋＷＨ）は、３０分間で５０ｋＷＨとなるが、１時間当たりに換算すれば１時間で１００ｋＷＨとなる。そして、図７には、説明の便宜上、１時間当たりに換算した値がそれぞれ示されている。また、図７におけるＴ分とは、使用電力量（ｋＷＨ）の積算開始時（毎時ごとの０分、３０分）からの経過時間（１０分間隔）である。
【００４１】
また、図７では、高圧受電設備１０１への供給用の電力量の予測値が、使用電力量の積算対象となる３０分間で、１０分経過するたびに１時間当たり換算で２５ｋＷＨずつ増加する例（すなわち、高圧受電設備１０１への供給用の電力量の１０分後の予測値が２５ｋＷＨ、２０分後の予測値が５０ｋＷ、３０分後の予測値が７５ｋＷとなる例）を示している。本実施形態では、制御前の積算終了時における総受電電力量（ｋＷＨ）の予測値２５５において、バッテリ搭載装置１１４への供給用の電力量の予測値として、極力厳しく判断するために、利用予定の電力変換ユニットの最大電力量（ここでは８ｋＷＨ／台とする）の和を用いている。
【００４２】
また、図７の例では、１２：００から１３：３０までが、上位システム１１３（図１参照）からデマンド制限要請が出る時間帯である。図７において、仮に総受電電力量調整制御が行われない場合には、制御前の積算終了時における総受電電力量の予測値（ｋＷＨ）２５５、制御前の電力変換ユニットの予想電力量（ｋＷＨ）２５６に示す計画となる。しかし、総受電電力量調整制御（ここではデマンド制限要請があったときの総受電電力量調整制御）が行われる場合には、制御後のＴ分後における総受電電力量の予測値（ｋＷＨ）２５７、制御後の電力変換ユニットの予想電力量（ｋＷＨ）２５８に示すように、電力変換ユニットＡ〜Ｄから出力される電力量の変更が、後記するように充電指令演算部１３３により計算されて実行される。
【００４３】
図８に示すように、電力変換ユニットの効率曲線１４７は、電力変換ユニットからの出力電力と効率との対応を示すグラフである。ここでは、出力電力は、最大出力電力に対する割合（％）で示されている。図８に示すように、電力変換ユニットの効率は、一般に、最大出力電力よりも所定量小さい出力電力のときに最大となる。効率曲線１４７は、個々の電力変換ユニットの最大出力値や種類等によって異なっており、電力変換ユニット効率曲線ＤＢ１４６には、電力変換ユニットＡ〜Ｄごとに与えられる効率曲線が格納されている。ここでは、効率曲線１４７は、出力電力と効率との対応データとして、電力変換ユニット効率曲線ＤＢ１４６に保存されている（図１７参照）。
【００４４】
次に、充電特性取得部１３７（図５参照）について説明する。
図９は、充電パターンを示すグラフである。図１０は、図９に示されるグラフを作成するためのパラメータである充電特性情報の一例を示す図である。図１１は、充電特性取得部の構成の一例を示す図である。
【００４５】
充電特性取得部１３７は、バッテリ搭載装置１１４に搭載されたバッテリの充電に関する特性情報である充電特性情報を取得する。第１実施形態では、充電特性情報は、図１０に示すように、前記バッテリの充電開始時の蓄電量ＳＯＣstart、電流値Ｉmax及び電圧値Ｖstartと、電圧の最大値Ｖmaxと、定電流充電から定電圧充電に切り替わるときの蓄電量ＳＯＣcc_cvと、前記バッテリの総容量Ｃapacityと、充電時間Ｔとを有するテーブルデータ２５９である。充電特性取得部１３７は、取得した充電特性情報を用いて、図９に示す充電電圧特性２０１、充電ＳＯＣ特性２０３、及び充電電流特性２０２を算出する。
【００４６】
バッテリ搭載装置１１４の充電時に予め充電パターンを決定するためには、実際には、初期蓄電量、初期電圧値、初期電流値の無数の組合せのデータが例えばバッテリ搭載装置１１４ごとに無数に必要となる。また、バッテリ搭載装置１１４のバッテリには経年劣化、あるいは使用による劣化があるため、バッテリ搭載装置１１４から取得するデータを周期的に更新しなければ正確な充電計画を作成することが困難である。これに対して、第１実施形態によれば、充電パターンのグラフのパラメータであるテーブルデータ２５９を用いる方式により、適切な充電計画を作成することが可能となる。
【００４７】
なお、ＳＯＣcc_cvの値は、前記したようにバッテリ搭載装置１１４から取得してもよいが、例えば予めバッテリごとの値を充電特性ＤＢ１４３に格納しておき、その値を参照することも可能である。充電電流特性２０２を求める際に、定電流充電の継続時間である時刻ｔが必要になるが、この値は、次式を用いて求めることが可能である。
ｔ＝（ＳＯＣcc_cv−ＳＯＣstart）／（ＳＯＣmax−ＳＯＣstart）×Ｔ
ここで、ＳＯＣmaxの値は必要充電容量であり、利用者操作ユニット１５１の充電端末１１０からのユーザの入力値（例えば８０％）に基づいて与えられる。なお、充電時間Ｔは、バッテリ搭載装置１１４のコントローラ（図示せず）により、ＳＯＣstartとＳＯＣmaxとに基づいて算出される。
【００４８】
なお、Ｃapacityの値はバッテリの総容量（最大容量）であり、この値も、前記したようにバッテリ搭載装置１１４から取得してもよいが、例えば予めバッテリごとの値を充電特性ＤＢ１４３に格納しておき、その値を参照することも可能である。
【００４９】
図１１に示すように、充電特性取得部１３７は、パラメータ取得機能部１８１、充電特性作成機能部１８２、ＤＢ保存機能部１８３、メモリ１８４、及びＣＰＵ１８５を備えており、これらが信号バス１８６により接続されている。
【００５０】
パラメータ取得機能部１８１が、充電端末１１０のパラメータ送受信Ｉ／Ｆ１６３（図４参照）から充電特性情報としてのテーブルデータ２５９（図１０参照）を取得した後に、このテーブルデータ２５９を用いて、充電特性作成機能部１８２が、図９に示した充電パターンを展開する。この際に展開される充電電圧特性２０１、充電ＳＯＣ特性２０３、及び充電電流特性２０２の各データパターンは、一時的にメモリ１８４に格納され、すべてのデータパターンの作成が終了して充電パターンが完成した後に、完成した充電パターンは、ＣＰＵ１８５の指令により充電特性ＤＢ１４３に転送され、適宜設定された識別符号に関係付けられて保存される。図９に示す充電パターンは、ここでは電流値、電圧値及びＳＯＣ値の時系列データに変換されて、充電特性ＤＢ１４３に保存される（図１７参照）。但し、数式等で保存されてもよい。
【００５１】
次に、充電制御装置における処理について、図１２〜図１６を参照して説明する。
図１２は、第１実施形態に係る充電制御装置における処理の手順を示すフローチャートである。図１３は、図１２から続く充電制御装置における処理の手順を示すフローチャートである。図１４は、図１３から続く充電制御装置における処理の手順を示すフローチャートである。図１５は、図１２に示される確認処理の手順を示すフローチャートである。図１６は、図１３に示される充電電流設定処理の手順を示すフローチャートである。
【００５２】
図１２に示すように、まず、電力変換ユニットの確認処理が行われる（ステップＳ１００５）。この電力変換ユニットの確認処理が開始されると、図１５に示すように、ステップＳ１２２０にて、充電制御装置１０７は、電力変換ユニットＡ〜Ｄの健全性を確認する。この確認作業では、充電制御装置１０７と各電力変換ユニットＡ〜Ｄとを接続している信号線（通信線）を介して、例えば充電制御装置１０７からポーリング信号を周期的に送ることで、ＡＣＫ信号が帰ってこなかった電力変換ユニットを異常（故障）と判定する。
【００５３】
ステップＳ１２２１では、異常（故障）と判定された電力変換ユニットが有るか否かが判断される。異常（故障）と判定された電力変換ユニットが有る場合（ステップＳ１２２１：Ｙｅｓ）、充電指令演算部１３３が解列信号をユニット切離部１３６に伝送することにより、充電制御装置１０７は、異常（故障）と判定された電力変換ユニットを切り離す制御を行う（ステップＳ１２２２）。続いて、充電制御装置１０７は、異常（故障）と判定された電力変換ユニットが有る旨のエラーメッセージを電力量監視装置１０２あるいは充電端末１１０に出力し（ステップＳ１２２３）、図１２のステップＳ１０１０に進む。一方、ステップＳ１２２１にて異常（故障）と判定された電力変換ユニットが無いと判断された場合（ステップＳ１２２１：Ｎｏ）、そのまま図１２のステップＳ１０１０に進む。
【００５４】
図１２のステップＳ１０１０に戻り、充電制御装置１０７は、総受電電力量調整ＤＢ１４２に格納されている総受電電力量調整データ２５３の初期化を実行し、ステップＳ１０２０にて、充電管理ＤＢ１４１に格納されている充電管理データ２５２の初期化を実行する。続いて、充電制御装置１０７は、契約電力設定装置１０８から入力されてメモリ１３２に保存されている契約電力の値に基づいて、１時間当たりに換算された最大電力量（上限値）（ここでは１００ｋＷＨ）を、総受電電力量調整ＤＢ１４２に格納されている総受電電力量調整データ２５３にセットする（図７参照）。
【００５５】
ステップＳ１０４０では、充電制御装置１０７は、系統電源９９からの受電を制限する要請であるデマンド制限要請を上位システム１１３から受信したか否かを判断する。ステップＳ１０４０にてデマンド制限要請がない場合（ステップＳ１０４０：Ｎｏ）、ステップＳ１０６０に進む。
【００５６】
一方、ステップＳ１０４０にてデマンド制限要請がある場合（ステップＳ１０４０：Ｙｅｓ）、充電制御装置１０７は、デマンド制限値（ここでは、例えば最大電力量を１０％縮減した値である９０ｋＷＨ）を総受電電力量調整データ２５３にセットする（ステップＳ１０５０）。ここで、デマンド制限値は、デマンド制限要請に基づいて、契約電力に基づく最大電力量よりも低く設定されるものである。なお、デマンド制限要請にレベルを持たせ、該デマンド制限要請のレベルに応じて最大電力量に対する縮減割合を変化させてデマンド制限値を設定してもよい。
【００５７】
ステップＳ１０６０では、充電制御装置１０７は、電力バランス計測装置１０３内の電力デマンド監視機能を利用して、Ｔ分後における総受電電力量のうちの高圧受電設備１０１の部分の予測値と、積算終了時における総受電電力量のうちの高圧受電設備１０１の部分の予測値とを、総受電電力量調整データ２５３にセットする。
【００５８】
ステップＳ１０７０では、充電制御装置１０７は、必要電力量情報等の充電申し込みの情報を取り込む。図１３のステップＳ１０８０では、充電制御装置１０７は、必要電力量情報として示される要求出力に応じた電力変換ユニットの空きがあるか否かを、電力変換ユニットデータ２５１を参照してチェックする。要求出力に応じた電力変換ユニットの空きがない場合（ステップＳ１０８０：Ｎｏ）、充電制御装置１０７は、指定された時間までは充電予約が入っていることを通知するメッセージを充電端末１１０に出力し（ステップＳ１１５０）、充電端末１１０は、該メッセージを表示装置１６２に表示する。続いて、充電制御装置１０７は、充電予約時間をガイドするメッセージ（例えば１時間後なら充電可能）を充電端末１１０に出力し（ステップＳ１１６０）、充電端末１１０は、該メッセージを表示装置１６２に表示する。なお、充電装置１００では、バッテリ搭載装置１１４に搭載されたバッテリの充電終了時を指定して充電するタイマ充電、及び充電を即座に実施する急速充電が指定可能とされている。
【００５９】
ステップＳ１０８０にて要求出力に応じた電力変換ユニットの空きが有る場合（ステップＳ１０８０：Ｙｅｓ）、充電制御装置１０７は、充電管理データ２５２（図６（ｂ）参照）に、利用する電力変換ユニットの識別符号をセットする（ステップＳ１０９０）。続いて、充電制御装置１０７は、バッテリ搭載装置１１４と通信を行うことにより、バッテリ搭載装置１１４に搭載されたバッテリ（電池）の総容量、蓄電量（電池残量）を取得し、充電管理データ２５２にセットする（ステップＳ１１００）。
【００６０】
これらの処理が終了した後に、ステップＳ１１１０にて、充電制御装置１０７は、バッテリ搭載装置１１４から要求される要求電力量を含む系統電源９９からの総受電電力量の予測値が許容値よりも大きいか否かを判断する。ここで、許容値は、デマンド制限要請がない場合には（ステップＳ１０４０：Ｎｏ）、予め設定された上限値としての契約電力に基づく最大電力量（ここでは１００ｋＷＨ）であり、デマンド制限要請がある場合には（ステップＳ１０４０：Ｙｅｓ）、デマンド制限値（ここでは９０ｋＷＨ）である。具体的には、使用電力量の積算対象となる３０分間ごとに、バッテリ搭載装置１１４からの要求電力量を含む総受電電力量の予測値が許容値を超えるか否かが判断される。
【００６１】
ステップＳ１１１０にてバッテリ搭載装置１１４からの要求電力量を含む総受電電力量の予測値が許容値よりも大きいと判断された場合（ステップＳ１１１０：Ｙｅｓ）、ステップＳ１２０５に進み、充電電流設定処理が実行される。
【００６２】
第１実施形態では、充電制御装置１０７の充電指令演算部１３３は、ステップＳ１２０５の充電電流設定処理において、図１６に示すように、系統電源９９からの総受電電力量が前記した許容値を超過しない範囲でバッテリ搭載装置１１４を充電可能な、電力変換部１０６からの出力指令値としての充電電流を、充電に利用される電力変換ユニットの全体の変換効率を高める処理を実行して算出し、設定する（ステップＳ１２１０）。本明細書において変換効率を高める処理とは、具体的には、変換効率を最大にする最適化処理であり、ここで最大とは、最大±５％程度の範囲を含む趣旨である。
【００６３】
ここでの充電電流の設定は、図１７に示すように、充電特性ＤＢ１４３内の充電パターン、総受電電力量調整ＤＢ１４２内の総受電電力量調整データ２５３（デマンド制限値、契約電力に基づく最大電力量、Ｔ分後における総受電電力量の予測値等）、電力変換ユニットの効率曲線ＤＢ１４６内の効率曲線１４７等の必要データを入力とし、その結果求められた充電電流計画補正値１４８を基に、メモリ１３２に登録されていた制御前の充電電流計画１４９に対して補正を行う。この制御前の充電電流計画１４９に対する補正において、前記必要データを基に定式化した充電装置１００の分配モデルに対して、充電指令演算部１３３が、例えば線形計画法に代表される最適化手法を用いて、許容値（例えばデマンド制限値）に応じた充電電流の設定値を計算するものである。但し、補正の方法は、前記方法に限定されるものではなく、例えば前記した必要データのそれぞれをパラメータと考え、該パラメータのすべての組合わせについて演算して効率が最大となるように充電電流の設定を行ってもよい。
【００６４】
より具体的には、制御前の充電計画では、各電力変換ユニットＡ〜Ｄからの出力が逐次減少するように設定され、総受電電力量調整データ２５３に、例えば図７中の制御前の電力変換ユニットの予想電力量２５６に示すような値がセットされる。そして、制御前の電力変換ユニットの予想電力量２５６が、前記したＴ分後における総受電電力量のうちの高圧受電設備１０１の部分の予測値と、積算終了時における総受電電力量のうちの高圧受電設備１０１の部分の予測値とに付加される。これにより、制御前のＴ分後における総受電電力量の予測値、制御前の積算終了時における総受電電力量の予測値２５５がセットされたことになる（図７参照）。図７に示されるように、制御前のＴ分後における総受電電力量の予測値、及び制御前の積算終了時における総受電電力量の予測値２５５とも、許容値（図７の例ではデマンド制限値）を超える時間帯があることがわかる。そこで、前記した補正に対応した制御後の電力変換ユニットの予想電力量２５８が算出されて、総受電電力量調整データ２５３にセットされる。そして、制御後の電力変換ユニットの予想電力量２５８を用いた、制御後のＴ分後における総受電電力量の予測値２５７が、総受電電力量調整データ２５３にセットされる。
【００６５】
一方、ステップＳ１１１０にてバッテリ搭載装置１１４からの要求電力量を含む総受電電力量の予測値が許容値以下であると判断された場合（ステップＳ１１１０：Ｎｏ）、充電制御装置１０７の充電指令演算部１３３は、電力変換ユニットの全体の変換効率を高める処理を実行しつつ、最大出力可能な電流値を設定する（ステップＳ１１２０）。この電力変換ユニットの全体の変換効率を高める処理においては、電力変換ユニットの効率曲線ＤＢ１４６内の効率曲線１４７等の必要データを基に定式化した充電装置１００の分配モデルに対して、充電指令演算部１３３が、例えば線形計画法に代表される最適化手法を用いて、充電電流の設定値を計算するものである。但し、前記処理の実行の方法は、前記方法に限定されるものではない。ここで、各電力変換ユニットＡ〜Ｄからの出力が逐次減少するように設定され、総受電電力量調整データ２５３にセットされる。
【００６６】
そして、図１３のステップＳ１１４０にて、充電制御装置１０７は、充電を開始する制御を行い、図１４のステップＳ１１７０に進む。ステップＳ１１７０では、充電制御装置１０７は、設定した充電電流での充電電力量を含む系統電源９９からの総受電電力量が実際に許容値よりも大きいか否かを判断する。設定した充電電流とは、前記したように、総受電電力量が許容値を超過しないように、かつ、電力変換ユニットの全体の変換効率を高める処理を実行して算出されたものである。ここで、電力量監視制御部１３４（図５参照）が、電力量監視装置１０２及び電力バランス計測装置１０３（図１参照）から電力量のデータを受信して、総受電電力量を監視する。
【００６７】
総受電電力量が許容値を超えない場合（ステップＳ１１７０：Ｎｏ）、充電制御装置１０７は、充電終了まで充電を継続する制御を行う（ステップＳ１１８０）。一方、総受電電力量が許容値を超える場合（ステップＳ１１７０：Ｙｅｓ）、充電制御装置１０７の充電指令演算部１３３は、充電電流の見直しを行う（ステップＳ１１９０）。ここでの充電電流の見直しにおいては、前記ステップＳ１２１０と同様に、充電特性ＤＢ１４３内の充電パターン、総受電電力量調整ＤＢ１４２内の総受電電力量調整データ２５３、電力変換ユニットの効率曲線ＤＢ１４６内の効率曲線１４７等の必要データを基に定式化した充電装置１００の分配モデルに対して、充電指令演算部１３３が、例えば線形計画法に代表される最適化手法を用いて、許容値（例えばデマンド制限値）に応じた充電電流の設定値を計算するものである。但し、見直しの方法は、前記方法に限定されるものではない。
【００６８】
充電指令演算部１３３での計算結果により総受電電力量調整ＤＢ１４２内の総受電電力量調整データ２５３が更新された内容で、実際の充電時刻になって前記した計算結果に基づいて切り離す電力変換ユニットが存在すれば、充電制御装置１０７のユニット切離部１３６は、その旨の情報を切換回路１０９に伝送し、切換回路１０９は実際の電力変換ユニットＡ〜Ｄの接続を変更する。その後、充電制御装置１０７は、充電処理部１３５により充電制御を行う時刻を検出し、該当する時刻になった場合に、充電動作制御部１３８から各電力変換ユニットＡ〜Ｄに電力出力指令を出すことにより、バッテリ搭載装置１１４への充電を開始する制御を行う。
【００６９】
前記したように第１実施形態では、充電装置１００は、バッテリ搭載装置１１４に接続されている利用者操作ユニット１５１に対して、複数の電力変換ユニットＡ〜Ｄの中から選択された少なくとも一つの電力変換ユニットから出力される電力を供給する制御を行う充電制御ユニット１５２を備える。そして、充電制御ユニット１５２の充電制御装置１０７は、バッテリ搭載装置１１４から要求される要求電力量を含む系統電源９９からの総受電電力量の予測値が予め設定された契約電力に基づく最大電力量よりも大きいとき、系統電源９９からの総受電電力量が前記最大電力量を超過しない範囲でバッテリ搭載装置１１４を充電可能な、電力変換部１０６からの出力指令値を算出する充電指令演算部１３３を有している。ここで、充電指令演算部１３３は、複数の電力変換ユニットＡ〜Ｄのうちの充電に利用される電力変換ユニットの全体の変換効率を高める処理を実行して前記出力指令値を算出する。
【００７０】
この第１実施形態によれば、充電装置１００が店舗設備等の高圧受電設備１０１と併設される場合であっても、総受電電力量を決められた電力量に抑えつつバッテリ搭載装置１１４に搭載されたバッテリを充電効率の向上を図りながら充電することが可能となる。
【００７１】
また、第１実施形態では、充電制御ユニット１５２が、系統電源９９からの受電を制限する要請であるデマンド制限要請を受信した場合、充電指令演算部１３３は、バッテリ搭載装置１１４から要求される要求電力量を含む系統電源９９からの総受電電力量の予測値が前記デマンド制限要請に基づいて前記最大電力量よりも低く設定されるデマンド制限値よりも大きいとき、系統電源９９からの総受電電力量が前記デマンド制限値を超過しない範囲でバッテリ搭載装置１１４を充電可能な、電力変換部１０６からの出力指令値を算出する。
【００７２】
このような構成によれば、デマンド制限要請が課せられている条件下で、充電装置１００が店舗設備等の高圧受電設備１０１と併設される場合であっても、総受電電力量を決められた電力量に抑えつつバッテリ搭載装置１１４に搭載されたバッテリを充電効率の向上を図りながら充電することが可能となる。
【００７３】
また、第１実施形態では、充電制御ユニット１５２は、バッテリ搭載装置１１４のバッテリの充電に関する特性情報である充電特性情報を利用者操作ユニット１５１を介して受信し、充電指令演算部１３３は、前記充電特性情報に基づく充電パターンを用いて、充電計画を作成する。そして、前記充電特性情報は、バッテリの充電開始時の蓄電量、電流値及び電圧値と、電圧の最大値と、定電流充電から定電圧充電に切り替わるときの蓄電量と、バッテリの必要充電容量と、充電時間とを有している。
【００７４】
このような構成によれば、バッテリ搭載装置１１４の詳細な充電特性を用いることにより、例えばバッテリの劣化をも詳細に考慮することができ、バッテリ搭載装置１１４の充電を、より正確に計画通りに行うことが可能となる。
【００７５】
≪第２実施形態≫
次に、図１８を参照しながら本発明の第２実施形態について説明する。
図１８は、本発明の第２実施形態に係る充電特性ＤＢに格納される充電特性データの一例を示す図である。前記した第１実施形態と同じ構成については同じ符号を付して重複する説明を省略し、第１実施形態と相違する点について説明する。
【００７６】
第２実施形態では、利用者操作ユニット１５１を介して受信されるバッテリ搭載装置１１４のバッテリの充電に関する特性情報である充電特性情報は、バッテリの充電開始時の蓄電量ごとに設定された電流値及び電圧値の時系列データを有しており、充電特性取得部１３７により取得されて充電特性ＤＢ１４３に転送され、充電特性データ２５４として保存される。充電指令演算部１３３は、充電特性データ２５４に示される充電パターンを用いて、充電計画を作成する。
【００７７】
図１８は、バッテリ搭載装置１１４から充電端末１１０を介し、充電通信制御部１１１経由で充電特性取得部１３７により取得された充電特性データ２５４を示しており、この充電特性データ２５４には、バッテリ搭載装置１１４の充電パターンが、識別符号に関係付けられて示されている。なお、図１８に示される充電パターン０Ａ〜９Ａと充電パターン０Ｂ〜９Ｂとは、異なる種類のバッテリを搭載したバッテリ搭載装置に対応している。
【００７８】
図１８において、例えば蓄電量（電池残量）９０％の行である充電パターン９Ａでは、右に行くほど時間経過が大きくなることを示し、この例では５分までは２４Ａ（電流）、４００Ｖ（電圧）で、０．８ｋＷＨ（積算電力量）まで充電を行い、５分から１０分の間では１８Ａ（電流）、４００Ｖ（電圧）で、１．４ｋＷＨ（積算電力量）まで充電を行うことを示している。なお、バッテリ搭載装置１１４との通信で最初にバッテリ（電池）の種類情報が取得され、当該バッテリの種類情報に基づいて、各バッテリ（電池）の充電パターンを得るように構成されてもよい。このような充電パターンを示す充電特性データ２５４は、充電特性ＤＢ１４３に格納される。
【００７９】
この第２実施形態によれば、第１実施形態のようにバッテリの劣化を詳細に考慮することはできないものの、平均的なバッテリの性能を想定した充電を行うことが可能となり、第１実施形態と同様の作用効果を奏することができる。
【００８０】
≪第３実施形態≫
次に、図１９〜図２１を参照しながら本発明の第３実施形態について説明する。
図１９は、本発明の第３実施形態に係る充電装置の概略構成を示すブロック図である。図２０は、図１９に示される充電制御装置の構成の一例を示す図である。図２１は、本発明の第３実施形態に係る充電電流設定処理の手順を示すフローチャートである。前記した第１実施形態と同じ構成については同じ符号を付して重複する説明を省略し、第１実施形態と相違する点について説明する。
【００８１】
図１９に示すように、第３実施形態の充電コンバータ装置１５０ａは、蓄電池１１６と、該蓄電池１１６からの出力電圧を変換するためのＤＣ／ＤＣコンバータ１１７とを備えており、ＤＣ／ＤＣコンバータ１１７は切換回路１０９に接続されている。このような構成にする主目的は、例えばデマンド制限要請が受信されて、バッテリ搭載装置１１４が当初の充電計画の中で充電が完了できなくなることを防ぐことである。
【００８２】
第３実施形態では、蓄電池１１６を充電するために、電力量監視装置１０２から蓄電池１１６の充電用の電力線が蓄電池１１６に接続され、蓄電池１１６からの電力供給のための電力線はＤＣ／ＤＣコンバータ１１７に接続され、蓄電池１１６から供給される電力はＤＣ／ＤＣコンバータ１１７で所望の電圧に変換される。あらかじめ蓄電池１１６と電力変換ユニットＡ〜Ｄの電圧値が同じである場合には、ＤＣ／ＤＣコンバータ１１７を省略してもよい。蓄電池１１６の充電は、バッテリ搭載装置１１４への充電電力量を含む系統電源９９からの総受電電力量が許容値（例えばデマンド制限値）よりも少ないときに行われる。
【００８３】
図２０に示すように、充電制御装置１０７ａは、第１実施形態（図５参照）と比較して、蓄電池制御部１４４が加えられるとともに充電動作制御部１３８ａに後記する機能が付加される点で相違している。蓄電池制御部１４４は、充電指令演算部１３３から蓄電池制御信号を受信した後に、蓄電池１１６に対して制御信号を伝送する機能を有する。また、充電動作制御部１３８ａは、受電電力が許容値に対して余裕があり、蓄電池１１６の蓄電量が少ない際に、蓄電池１１６に対する充電の動作を指令する機能をさらに有している。特に、蓄電池制御部１４４が追加されることにより、充電指令演算部１３３が実行する図１３中の充電電流設定処理（Ｓ１２０５）が以下のように変更となる。
【００８４】
図１３のステップＳ１１１０にて、充電制御装置１０７の充電指令演算部１３３は、バッテリ搭載装置１１４から要求される要求電力量を含む系統電源９９からの総受電電力量の予測値が許容値（例えばデマンド制限値）よりも大きいか否かを判断し、該許容値を超えない場合（ステップＳ１１１０：Ｎｏ）には、第１実施形態と同様の処理を行う。
【００８５】
ステップＳ１１１０にてバッテリ搭載装置１１４からの要求電力量を含む総受電電力量の予測値が許容値よりも大きいと判断された場合（ステップＳ１１１０：Ｙｅｓ）、図２１に示す充電電流設定処理（Ｓ１２０５）が行われる。
【００８６】
まず、ステップＳ１２４０にて、蓄電池１１６からの放電が必要とされる電流量が算出される。ここで、蓄電池１１６からの必要な電流量は、バッテリ搭載装置１１４からの要求電流量から許容値（例えばデマンド制限値）に対応する電流量を差し引いた差分として求められる。
【００８７】
ステップＳ１２４１では、充電指令演算部１３３は、算出された蓄電池１１６からの必要な電流量と蓄電池１１６から放電可能な電流量とを比較し、蓄電池１１６の充電量が充足しているか否かを判断する。蓄電池１１６の充電量が足りている場合（ステップＳ１２４１：Ｙｅｓ）、充電指令演算部１３３は、電力変換ユニットの全体の変換効率を高める処理を実行しつつ、電力変換ユニットＡ〜Ｄからの充電電流量を最大に設定する（ステップＳ１２４２）。この電力変換ユニットの全体の変換効率を高める処理においては、電力変換ユニットの効率曲線ＤＢ１４６内の効率曲線１４７等の必要データを基に定式化した充電装置１００の分配モデルに対して、充電指令演算部１３３が、例えば線形計画法に代表される最適化手法を用いて、許容値（例えばデマンド制限値）に応じた充電電流の設定値を計算するものである。但し、処理の実行方法は、前記方法に限定されるものではない。続いて、電力変換ユニットＡ〜Ｄからの充電電流量では未だ不足している分に対応して、蓄電池１１６からの電流量を、蓄電池制御部１４４により設定する（ステップＳ１２４３）。なお、ステップＳ１２４２及びＳ１２４３において、充電に利用される電力変換ユニットと、蓄電池１１６からの電力を所望の電圧に変換するＤＣ／ＤＣコンバータ１１７と、の全体の変換効率を高める処理を実行しつつ、充電電流量が算出されて設定されるように構成されてもよい。この場合、ＤＣ／ＤＣコンバータ１１７の効率曲線のデータが、充電制御装置１０７ａの記憶装置に予め保持されて参照される。そして、図１３のステップＳ１１４０に進んで充電が開始される。充電が開始される際に、切換回路１０９に入力される蓄電池１１６からの電力量は、蓄電池制御部１４４からの信号を基に設定される。
【００８８】
一方、蓄電池１１６の充電量が不足している場合（ステップＳ１２４１：Ｎｏ）、充電指令演算部１３３は、電力変換ユニットの全体の変換効率を高める処理を実行しつつ、出力可能な最大の充電電流量を算出して設定する（ステップＳ１２４４）。具体的には、充電指令演算部１３３は、蓄電池１１６からの電流量を最大に設定してその値を蓄電池制御部１４４に伝送するとともに、蓄電池１１６からの電流量では未だ不足している分に対応して、系統電源９９からの総受電電力量が前記した許容値を超過しない範囲でバッテリ搭載装置１１４を充電可能な、電力変換部１０６からの出力指令値としての充電電流を、充電に利用される電力変換ユニットの全体の変換効率を高める処理を実行して算出し、設定する。この電力変換ユニットの全体の変換効率を高める処理においては、電力変換ユニットの効率曲線ＤＢ１４６内の効率曲線１４７等の必要データを基に定式化した充電装置１００の分配モデルに対して、充電指令演算部１３３が、例えば線形計画法に代表される最適化手法を用いて、許容値（例えばデマンド制限値）に応じた充電電流の設定値を計算するものである。但し、処理の実行方法は、前記方法に限定されるものではない。なお、ステップＳ１２４４において、充電に利用される電力変換ユニットと、蓄電池１１６からの電力を所望の電圧に変換するＤＣ／ＤＣコンバータ１１７と、の全体の変換効率を高める処理を実行しつつ、充電電流量が算出されて設定されるように構成されてもよい。
【００８９】
また、第３実施形態では、蓄電池１１６を設置したことにより、電力変換ユニットＡ〜Ｄに異常（故障）が発生した場合にも、異常（故障）が発生した電力変換ユニットのバックアップ用として蓄電池１１６を用いることが可能である。
【００９０】
前記したように第３実施形態では、充電装置１００ａは、系統電源９９からの電力を蓄える蓄電池１１６を備えており、充電指令演算部１３３は、蓄電池１１６に蓄えられている電力をバッテリ搭載装置１１４への供給用の電力として用いて、電力変換部１０６からの出力指令値を算出する。
【００９１】
この第３実施形態によれば、第１実施形態と同様の作用効果を奏することができることに加えて、例えばデマンド制限要請のためにバッテリ搭載装置１１４に対する充電量が不足する場合に、充電装置１００ａに設置した予め充電されている蓄電池１１６からの出力電力と系統電源９９からの電力とを加算して用いることにより、バッテリ搭載装置１１４への充電を、より正確に計画通りに行うことが可能となる。
【００９２】
また、蓄電池１１６を設置したことで充電装置１００ａ中の電力変換ユニットＡ〜Ｄのうちのいずれかがが故障して利用できなくなった場合でも、そこから出力されるべきであった電力を蓄電池１１６からの電力で代用することができ、バッテリ搭載装置１１４への充電を、より正確に計画通りに行うことが可能となる。
≪第４実施形態≫
次に、本発明の第４実施形態について説明する。
前記した第３実施形態と同じ構成については同じ符号を付して重複する説明を省略し、第３実施形態と相違する点について説明する。
【００９３】
第４実施形態では、利用者操作ユニット１５１を介して受信されるバッテリ搭載装置１１４のバッテリの充電に関する特性情報である充電特性情報は、第２実施形態と同様に、バッテリの充電開始時の蓄電量ごとに設定された電流値及び電圧値の時系列データを有しており、充電特性取得部１３７により取得されて充電特性ＤＢ１４３に転送され、充電特性データ２５４として保存される。充電指令演算部１３３は、充電特性データ２５４に示される充電パターンを用いて、充電計画を作成する。
【００９４】
この第４実施形態によれば、第３実施形態のようにバッテリの劣化を詳細に考慮することはできないものの、平均的なバッテリの性能を想定した充電を行うことが可能となり、第３実施形態と同様の作用効果を奏することができる。
【００９５】
≪第５実施形態≫
次に、図２２及び図２３を参照しながら本発明の第５実施形態について説明する。
図２２は、本発明の第５実施形態に係る電力変換ユニットの構成の一例を示す図である。図２３は、本発明の第５実施形態に係る電力変換ユニットの確認処理の手順を示すフローチャートである。前記した第１実施形態と同じ構成については同じ符号を付して重複する説明を省略し、第１実施形態と相違する点について説明する。
【００９６】
図２２に示すように、電力変換部１０６ａの個々の電力変換ユニットＡ〜Ｄに対して、蓄電池１１８と、ＤＣ／ＤＣコンバータ１１９と、それに伴う電力線、信号線（通信線）が付加されている点で、実施形態１と相違している。各電力変換ユニットＡ〜Ｄに設置された蓄電池１１８の制御は、各電力変換ユニットＡ〜Ｄにおいて実施される。このような構成によれば、仮に電力変換ユニットＡ〜ＤのうちのいずれかのＡＣ／ＤＣ変換部分が故障したとしても、蓄電池１１８に充電されている電力により充電装置１００からの電力出力を減少させることなく、バッテリ搭載装置１１４の充電を遅延なく実施することが可能となる。
【００９７】
第５実施形態では、電力変換ユニットＡ〜Ｄにそれぞれ蓄電池１１８、及びＤＣ／ＤＣコンバータ１１９を導入することに伴って、電力変換ユニットＡ〜Ｄ中の演算処理装置１２５ａは、第１実施形態と同様のアナログ制御部１２６及び電力量管理部１２７に加えて、蓄電池制御部１２８を備えている。また、演算処理装置１２５ａには、入力電圧検知部１５７により検知された入力電圧の値と、出力電圧検知部１５８により検知された出力電圧の値とが入力される。蓄電池制御部１２８は、入力電圧検知部１５７により検知される入力電圧と出力電圧検知部１５８により検知される出力電圧との差分が予め設定した閾値よりも大きい場合には、電力変換用の回路に異常があると判断して、電力の出力元を電力変換用の回路から蓄電池１１８に変更する。蓄電池制御部１２８が追加されることにより、図１２中の電力変換ユニットの確認処理（Ｓ１００５）が以下のように変更となる。
【００９８】
すなわち、図１２の処理を開始直後に、図２３の電力変換ユニットの確認処理（Ｓ１００５）が実行される。図２３に示すように、ステップＳ１２３０にて、充電制御装置１０７は、まず、電力変換ユニットＡ〜Ｄの健全性を確認する。
【００９９】
ステップＳ１２３１では、異常（故障）と判定された電力変換ユニットが有るか否かが判断される。異常（故障）と判定された電力変換ユニットが有る場合（ステップＳ１２３１：Ｙｅｓ）、充電指令演算部１３３が解列信号をユニット切離部１３６に伝送することにより、充電制御装置１０７は、異常（故障）と判定された電力変換ユニットを一時的に切り離す制御を行う（ステップＳ１２３２）。
【０１００】
続いて、切り離された電力変換ユニットにおいて、該電力変換ユニット中に具備されている蓄電池１１８の利用が可能か否かがチェックされる（ステップＳ１２３３）。ここで、蓄電池１１８の健全性（異常が無いこと）と、健全な場合には出力可能な電力が蓄電されているか否かのチェックが行われる。
【０１０１】
蓄電池の利用が可能な場合（ステップＳ１２３３：Ｙｅｓ）、蓄電池が実際に利用可能となるようにアクティブ化される（ステップＳ１２３４）。続いて、充電制御装置１０７は、異常（故障）と判定され、かつ蓄電池の利用が可能な電力変換ユニットを充電装置１００に再接続する（ステップＳ１２３５）。
【０１０２】
ステップＳ１２３５の後、ステップＳ１２３６に進み、電力変換用の回路に異常があったものの、蓄電池１１８を用いることで当初の充電が行えるようになった旨等のメッセージを出力画面、あるいはログファイルに出力してログデータとして残した後、図１２のステップＳ１０１０に進む。
【０１０３】
ステップＳ１２３１にて電力変換ユニットに異常がないと判断された場合には（Ｓ１２３１：Ｎｏ）、図１２のステップＳ１０１０に進む。また、ステップＳ１２３３にて蓄電池１１８の利用が不可能であると判断された場合には（Ｓ１２３３：Ｎｏ）、ステップＳ１２３６に進み、異常（故障）と判定された電力変換ユニットを切り離した充電を行う旨等のメッセージを出力画面、あるいはログファイルに出力してログデータとして残した後に、図１２のステップＳ１０１０に進む。
【０１０４】
そして、バッテリ搭載装置１１４からの要求電力量を含む総受電電力量の予測値が許容値よりも大きいと判断された場合（ステップＳ１１１０：Ｙｅｓ）、充電制御装置１０７は、各電力変換ユニットＡ〜Ｄの蓄電池１１８に蓄電されている蓄電量の総和に対応する電力を求め、電力の不足分をまかなえる場合には、各電力変換ユニットＡ〜Ｄに蓄電されている蓄電量に従って、出力電力を比例配分することで各電力変換ユニットＡ〜Ｄに搭載されている電力を出力する。充電制御装置１０７の充電指令演算部１３３により算出された該出力値（電流値）の信号は、充電制御装置１０７と電力変換ユニットＡ〜Ｄを接続している通信線を介して各電力変換ユニットＡ〜Ｄに送信され、電力変換ユニットＡ〜Ｄ中の蓄電池制御部１２８が蓄電池１１８からの電力量を制御する。
【０１０５】
前記したように第５実施形態では、充電装置１００は、系統電源９９からの電力を蓄える蓄電池１１８を複数の電力変換ユニットＡ〜Ｄの各々に備えており、充電指令演算部１３３は、蓄電池１１８に蓄えられている電力をバッテリ搭載装置１１４への供給用の電力として用いて、電力変換部１０６からの出力指令値を算出する。
【０１０６】
この第５実施形態によれば、第１実施形態と同様の作用効果を奏することができることに加えて、例えばデマンド制限要請のためにバッテリ搭載装置１１４に対する充電量が不足する場合や、電力変換ユニットＡ〜Ｄの電力変換用の回路が仮に故障した場合にも、蓄電池１１８に充電されている電力を用いることにより、充電装置１００からの出力電力を減少させることなく、バッテリ搭載装置１１４への充電を、より正確に計画通りに行うことが可能となる。
【０１０７】
≪第６実施形態≫
次に、本発明の第６実施形態について説明する。
前記した第５実施形態と同じ構成については同じ符号を付して重複する説明を省略し、第５実施形態と相違する点について説明する。
【０１０８】
第６実施形態では、利用者操作ユニット１５１を介して受信されるバッテリ搭載装置１１４のバッテリの充電に関する特性情報である充電特性情報は、第２実施形態と同様に、バッテリの充電開始時の蓄電量ごとに設定された電流値及び電圧値の時系列データを有しており、充電特性取得部１３７により取得されて充電特性ＤＢ１４３に転送され、充電特性データ２５４として保存される。充電指令演算部１３３は、充電特性データ２５４に示される充電パターンを用いて、充電計画を作成する。
【０１０９】
この第６実施形態によれば、第５実施形態のようにバッテリの劣化を詳細に考慮することはできないものの、平均的なバッテリの性能を想定した充電を行うことが可能となり、第５実施形態と同様の作用効果を奏することができる。
≪第７実施形態≫
次に、図２４〜図２６を参照しながら本発明の第７実施形態について説明する。
図２４は、本発明の第７実施形態に係る充電装置を備える充電システムの概略構成を示す図である。図２５は、図２４に示される充電管理センタの構成の一例を示す図である。図２６は、バッテリ搭載装置、充電端末、充電制御装置、充電管理センタ間の処理の流れを示すシーケンス図の一例である。前記した第１実施形態と同じ構成については同じ符号を付して重複する説明を省略し、第１実施形態と相違する点について説明する。
【０１１０】
図２４に示すように、充電制御装置１０７は、充電特性取得部１３７（図５参照）によりバッテリ搭載装置１１４に搭載されたバッテリの充電に関する充電特性情報などの、バッテリに関する情報であるバッテリ情報を取得する。また、充電制御装置１０７は、充電特性ＤＢ１４３内に蓄積された情報を上位通信制御部１１２と通信ネットワーク１６０とを介して充電管理センタ１５９に送信する。そして、充電管理センタ１５９は、各バッテリ搭載装置１１４から取得されたバッテリ情報を収集して管理する。
【０１１１】
図２５は、充電管理センタ１５９の最小限の構成を示す。図２５に示すように、充電管理センタ１５９は、ネットワークＩ／Ｆ３５５、データ更新機能部３５１、データ取得機能部３５２、データ検索機能部３５３、及び充電特性ＤＢ３５４を備えている。ネットワークＩ／Ｆ３５５は、充電装置１００との通信を授受するデバイスである。データ取得機能部３５２は、ネットワークＩ／Ｆ３５５から周期的に送信されてくるデータの中から充電に関する必要なデータを取得する機能を有する。データ更新機能部３５１は、データ取得機能部３５２から取得したデータと、充電特性ＤＢ３５４に蓄積されているデータとの差分を検出し、その差分を更新する機能を有する。データ検索機能部３５３は、充電装置１００から、バッテリ搭載装置１１４のバッテリの充電に関する充電特性情報などの、バッテリに関する情報であるバッテリ情報が要求された際に、充電特性ＤＢ３５４から所望のバッテリ搭載装置１１４のデータを取得する機能を有する。
【０１１２】
図２６に示すように、バッテリ搭載装置１１４が充電端末１１０に接続された場合、処理４０１においてバッテリ搭載装置１１４から充電端末１１０に充電特性情報などのバッテリ情報が送信される。該バッテリ情報は、処理４０２において充電制御装置１０７に送信され、処理４０３において充電指令演算部１３３にて実行される演算処理が行われる。その際に、充電制御装置１０７は、充電管理センタ１５９から充電特性ＤＢ３５４内のデータをダウンロードするために、処理４０４において充電管理センタ１５９にデータ要求を出し、その要求に基づいて、充電管理センタ１５９は、処理４０５において充電制御装置１０７に充電特性ＤＢ３５４内のデータを送信する。該データを受信して充電制御装置１０７は、処理４０６において充電指令演算を行い、演算結果を処理４０７において充電通信制御部１１１を介して充電端末１１０に送信する。充電端末１１０にて受信した演算結果を基に、処理４０８においてバッテリ搭載装置１１４への充電が実行される。バッテリ搭載装置１１４における充電処理４０９が終了した際に、バッテリ搭載装置１１４にて充電中に取得した電圧値、電流値、ＳＯＣ値は、処理４１０、４１１、４１２を通してそれぞれ充電端末１１０、充電制御装置１０７、充電管理センタ１５９へ順次送信され、処理４１３においてデータ更新機能部３５１は充電特性ＤＢ３５４を更新する。ここでの更新結果を基に、充電管理センタ１５９においてバッテリ搭載装置１１４におけるバッテリの利用状況、劣化状況、ユーザへの交換時期の提案を行うことが可能となる。
【０１１３】
前記したように第７実施形態では、充電システムは、充電装置１００と、バッテリ搭載装置１１４に搭載されたバッテリに関する情報であるバッテリ情報を充電装置１００から通信ネットワーク１６０を介して収集して管理する充電管理センタ１５９と、を備えている。
【０１１４】
この第７実施形態によれば、第１実施形態と同様の作用効果を奏することができることに加えて、バッテリ搭載装置１１４におけるバッテリの利用状況、劣化状況、ユーザへの交換時期の提案を行うことが可能となり、バッテリ搭載装置１１４のユーザの利便性が向上する。
【０１１５】
以上、本発明について、実施形態に基づいて説明したが、本発明は、各実施形態に記載した構成に限定されるものではなく、各実施形態に記載した構成を適宜組み合わせ乃至選択することを含め、その趣旨を逸脱しない範囲において適宜その構成を変更することができるものである。
【０１１６】
例えば、前記した実施形態において、充電制御ユニット１５２，１５２ａが充電コンバータ装置１５０，１５０ａに内蔵されている場合について説明したが、本発明はこれに限定されるものではない。本発明は、充電制御ユニット１５２，１５２ａの充電制御装置１０７，１０７ａの少なくとも一部が、上位通信制御部１１２からネットワークを介して通信可能に接続されるサーバコンピュータ（図示せず）に備えられる場合にも適用可能である。
【０１１７】
また、前記した実施形態において、バッテリ搭載装置１１４が電気自動車やハイブリッド車両等の車両の場合について説明したが、本発明はこれに限定されるものではなく、バッテリ搭載装置１１４が例えば自動搬送機、フォークリフト、ロボット、見学者用カート、バイク、バス等の場合にも適用可能である。
【０１１８】
また、図１２〜図１６、図２１、図２３に示す処理は、前記した実施形態ではプログラムを用いたソフトウェア的な処理として説明したが、ＡＳＩＣ（Application Specific Integrated Circuit；特定用途向けＩＣ）等を用いたハードウェア的な処理であってもよい。
【符号の説明】
【０１１９】
９９    系統電源
１００，１００ａ  充電装置
１０１    高圧受電設備
１０２    電力量監視装置
１０３    電力バランス計測装置（電力分配部）
１０４    バッテリ電力量監視装置
１０５    三相単相変換装置
１０６，１０６ａ  電力変換部
１０７，１０７ａ  充電制御装置
１０８    契約電力設定装置
１０９    切換回路
１１０ａ，１１０ｂ，１１０ｃ  充電端末
１１０    充電端末
１１１    充電通信制御部
１１２    上位通信制御部
１１３    上位システム
１１４    バッテリ搭載装置
１１５    充電特性情報記憶部
１１６，１１８  蓄電池
１３３    充電指令演算部
１３７    充電特性取得部
１５１    利用者操作ユニット
１５２，１５２ａ  充電制御ユニット
１５９    充電管理センタ
Ａ〜Ｄ    電力変換ユニット
【図１】
2014023204.tif 000003
【図２】
2014023204.tif 000004
【図３】
2014023204.tif 000005
【図４】
2014023204.tif 000006
【図５】
2014023204.tif 000007
【図６】
2014023204.tif 000008
【図７】
2014023204.tif 000009
【図８】
2014023204.tif 000010
【図９】
2014023204.tif 000011
【図１０】
2014023204.tif 000012
【図１１】
2014023204.tif 000013
【図１２】
2014023204.tif 000014
【図１３】
2014023204.tif 000015
【図１４】
2014023204.tif 000016
【図１５】
2014023204.tif 000017
【図１６】
2014023204.tif 000018
【図１７】
2014023204.tif 000019
【図１８】
2014023204.tif 000020
【図１９】
2014023204.tif 000021
【図２０】
2014023204.tif 000022
【図２１】
2014023204.tif 000023
【図２２】
2014023204.tif 000024
【図２３】
2014023204.tif 000025
【図２４】
2014023204.tif 000026
【図２５】
2014023204.tif 000027
【図２６】
2014023204.tif 000028